(57)【要約】【課題】曲げ性が良好で、ケーブルの曲がった部分にも容易に外嵌装着でき、摩擦によるケーブルの損傷も生じないケーブル保護管を提供する。【解決手段】軸線ＣＬ方向に一定間隔をあけて配列されたリング１と、周方向に一定間隔をあけて設けられたリング連結部２とからなる合成樹脂製の網筒状のケーブル保護管であって、軸線方向に平行して一箇所で切開されており、リング１の径方向の厚み寸法がリング連結部２の径方向の厚み寸法の２〜１０倍に設定されており、リング連結部２の軸線方向の長さ寸法Ｌがリング１の軸線方向の幅寸法Ｗの０．５〜２倍に設定されているケーブル保護管とする。リング１の内周面とリング連結部２の内面を面一にして平滑な管内面とする。リング連結部２が座屈してケーブル保護管が容易に曲がるので、ケーブルの曲がった部分にも外嵌装着でき、管内面が平滑であるため摩擦によるケーブルの損傷も生じない。【選択図】  図１
2004159441.tif 000002
【特許請求の範囲】
【請求項１】
軸線方向に一定間隔をあけて配列されたリングと、周方向に一定間隔をあけて設けられたリング連結部とからなる合成樹脂製の網筒状のケーブル保護管であって、軸線方向に平行して一箇所で切開されており、リングの径方向の厚み寸法がリング連結部の径方向の厚み寸法の２〜１０倍に設定されており、リング連結部の軸線方向の長さ寸法がリングの軸線方向の幅寸法の０．５〜２倍に設定されていることを特徴とするケーブル保護管。
【請求項２】
リング連結部の周方向の幅寸法がリング連結部の相互間隔の１．５〜５倍に設定され、リング連結部が周方向に５〜３０箇所設けられている請求項１に記載のケーブル保護管。
【請求項３】
リングの内周面とリング連結部の内面が面一になった平滑な管内面を有する請求項１又は請求項２に記載のケーブル保護管。
【請求項４】
リングの内径が１５〜３０ｍｍである請求項１ないし請求項３のいずれかに記載のケーブル保護管。
【請求項５】
軸線方向に平行して切開された保護管切開端部が保護管全長に亘って内外に重ね合わされている請求項１に記載のケーブル保護管。
【発明の詳細な説明】
【０００１】
【発明の属する技術分野】
本発明は、通信ケーブル等のケーブル類を保護する合成樹脂製のケーブル保護管に関する。
【０００２】
【従来の技術】
従来より、種々のタイプのケーブル保護管が提案されている。その一つに、特開２０００−２４５０４２号に開示されたケーブル保護管がある。このケーブル保護管は、管壁の略上半部に透孔を形成すると共に、略下半部の無孔壁部分を全長に亘って切開した合成樹脂製の保護管である。
【０００３】
このケーブル保護管はケーブルへの装着が容易であり、長期に亘ってケーブルから脱落しにくいという長所を有するが、その反面、次のような問題があった。
【０００４】
【発明が解決しようとする課題】
即ち、上記のケーブル保護管のように管壁の略下半部が無孔壁に形成されていると、ケーブル保護管の剛性が増して曲がり難くなるため、ケーブルの大きく曲がった部分には装着し難いという問題があり、無理に装着してもすぐに脱落するという問題があった。
【０００５】
また、上記のケーブル保護管は、略下半部の無孔壁部分の内面は平滑であるが、略上半部の有孔壁部分の内面が凹凸面となっているため、例えば風圧等でケーブルが揺れると、有孔壁部分の凹凸内面との摩擦によってケーブルが損傷する心配があり、特に、ケーブルの曲がった部分では、ケーブルと保護管の凹凸内面とが強く接触して摩擦が大きくなるため、ケーブルが損傷しやすくなるという問題があった。
【０００６】
本発明は上記の問題に対処すべくなされたもので、その目的とするところは、曲げやすくケーブルの曲がった部分に対しても容易に装着することができ、しかもケーブルから簡単に外れることがなく、摩擦によるケーブルの損傷も殆ど生じない、ケーブル保護管を提供することにある。
【０００７】
【課題を解決するための手段】
上記目的を達成するため、本発明のケーブル保護管は、軸線方向に一定間隔をあけて配列されたリングと、周方向に一定間隔をあけて設けられたリング連結部とからなる合成樹脂製の網筒状のケーブル保護管であって、軸線方向に平行して一箇所で切開されており、リングの径方向の厚み寸法がリング連結部の径方向の厚み寸法の２〜１０倍に設定されており、リング連結部の軸線方向の長さ寸法がリングの軸線方向の幅寸法の０．５〜２倍に設定されていることを特徴とするものである。
【０００８】
このケーブル保護管は、切開箇所から両側に弾性的に拡開してケーブルに外嵌するだけで簡単に装着することができ、このようにケーブル保護管を外嵌装着すると、リング連結部よりも径方向の厚みが２〜１０倍大きい強度のあるリングによってケーブルを保護することができる。そして、このケーブル保護管に曲げ力が作用すると、径方向の厚みの小さなリング連結部が座屈して容易にケーブル保護管が曲がるため、ケーブルの曲がった部分にも容易に装着することができる。特に、このケーブル保護管のようにリング連結部の軸線方向の長さ寸法がリングの軸線方向の幅寸法の０．５〜２倍に設定されていると、ケーブル保護管を適度な曲率半径で曲げることができ、しかも、リング連結部が座屈しやすいので曲げ性が良好である。また、網筒状であるため雨にぬれても乾きやすい。
【０００９】
本発明のケーブル保護管においては、リング連結部の周方向の幅寸法をリング連結部の相互間隔の１．５〜５倍に設定し、リング連結部を周方向に５〜３０箇所設けることが望ましい。このようにすると、ケーブル保護管の曲げ性と剛性を両立させることができる。
【００１０】
また、本発明のケーブル保護管においては、リングの内周面とリング連結部の内面を面一にして平滑な管内面とすることが望ましく、このように管内面を平滑にすると、管内面との摩擦によってケーブルが損傷する心配を解消することができる。
【００１１】
また、本発明のケーブル保護管においては、リングの内径を１５〜３０ｍｍとすることが望ましく、この程度のリング内径にすると、殆ど全てのケーブルに外嵌装着して保護することができる。
【００１２】
更に、本発明のケーブル保護管においては、軸線方向に平行して切開された保護管切開端部を保護管全長に亘って内外に重ね合わすことがのぞましく、このようにすれば、ケーブル保護管を曲げたときに保護管切開端部が開いて内部のケーブルが露出する心配をなくすことができる。
【００１３】
【発明の実施の形態】
以下、図面を参照して本発明の具体的な実施形態を詳述する。
【００１４】
図１は本発明の一実施形態に係るケーブル保護管の端部拡大側面図、図２は図１のＡ−Ａ線に沿った拡大断面図、図３は図２のＢ−Ｂ線に沿った断面図、図４は端部を曲げた同ケーブル保護管の概略側面図である。
【００１５】
このケーブル保護管は多数のリング１とリング連結部２からなる合成樹脂製の保護管であって、リング１は軸線ＣＬ方向に一定間隔をあけて配列されており、周方向に一定間隔をあけて設けられたリング連結部２によって互いに連結一体化されている。従って、このケーブル保護管は、リング１とリング連結部２によって囲まれる方形の網目３を多数備えた網筒状の外観を呈している。
【００１６】
このケーブル保護管は、軸線ＣＬ方向に平行して一箇所で切開されている。即ち、図２に示すように各リング１の下端部がリング連結部２，２の相互間で切開されており、このため、一点鎖線で示すようにケーブル保護管を切開箇所１１から両側に弾性的に拡開すると、簡単にケーブルに外嵌装着できるようになっている。
【００１７】
また、このケーブル保護管は、図２、図３に示すように、リング１の内周面とリング連結部２の内面が面一になった平滑な管内面を有しており、そのため、このケーブル保護管が風圧等で激しく揺れても、保護管内部のケーブルが管内面との摩擦によって損傷することはない。
【００１８】
このようなリング１とリング連結部２からなる網筒状のケーブル保護管は、曲げ力を加えると、図４に示すように、リング連結部２が座屈して容易に曲がるため、ケーブルの曲がった部分に対しても簡単に外嵌装着することができる。
【００１９】
このケーブル保護管に良好な曲げ性と充分な実用強度を付与するためには、リング１の径方向の厚み寸法Ｔ（図２参照）をリング連結部２の径方向の厚み寸法ｔ（図２参照）の２〜１０倍に設定すると共に、リング連結部２の軸線方向の長さ寸法Ｌ（図１参照）をリング１の軸線方向の幅寸法Ｗ（図１参照）の０．５〜２倍に設定することが必要である。
【００２０】
リング１の厚み寸法Ｔがリング連結部２の厚み寸法ｔの２倍未満であると、リング１の強度が不足するためケーブルの保護が不充分になる恐れがあり、逆に、１０倍を越えると、リング１の強度が必要以上に大きくなって材料樹脂の無駄使いになる。また、リング連結部２の長さ寸法Ｌがリング１の幅寸法Ｗの０．５倍未満であると、リング連結部２が相対的に短くケーブル保護管に曲げ力を加えてもリング連結部２が座屈しにくいため、ケーブル保護管の曲げ性が低下することに加えて、ケーブル保護管の曲率半径が大きくなるという不都合があり、逆に、２倍を越えると、リング連結部２が相対的に長くなりすぎて小さな曲げ力を受けても座屈するようになるため、ケーブル保護管が必要以上に曲がりやすくなり、ケーブル保護管の剛性や強度が低下するという不都合がある。より好ましいリング１の厚み寸法Ｔはリング連結部２の厚み寸法ｔの２．５〜５倍であり、より好ましいリング連結部２の長さ寸法Ｌはリング１の幅寸法Ｗの０．７５〜１．５倍である。
【００２１】
更に、このケーブル保護管は、リング連結部２の周方向の幅寸法Ｄ（図２参照）をリング連結部２の相互間隔Ｇ（図２参照）の１．５〜５倍に設定すると共に、該リング連結部２を周方向に等間隔をあけて５〜３０箇所設けることが望ましい。
【００２２】
リング連結部２の幅寸法Ｄがリング連結部２の相互間隔Ｇの１．５倍未満であると、リング連結部２が相対的に細くなって方形の網目の占める面積が大きくなるため、曲げ性は良くなるが強度の低下を招くという不都合があり、逆に、５倍を越えると、強度は向上するけれども曲げ性が低下するという不都合がある。また、リング連結部２を設ける箇所が５箇所未満であると、網筒状の外観を呈するケーブル保護管にならないことに加えて、リング連結部の幅寸法Ｄがかなり大きくなって座屈し難くなるため、かえって曲げ性が低下するという不都合があり、逆に、３０箇所を越えると、細かい網目を有する網筒状のケーブル保護管にはなるが、リング連結部２が多すぎるのでやはり曲げ性が低下するという不都合を生じる。より好ましいリング連結部２の幅寸法Ｄは、リング連結部２の相互間隔Ｇの２〜４倍であり、より好ましいリング連結部の個数は１５〜２５である。
【００２３】
このケーブル保護管のリング１の内径は１５〜３０ｍｍの範囲に設定することが望ましく、このようなリング内径にすると、殆ど全てのケーブルに外嵌装着して保護することができる。
【００２４】
参考までに、このケーブル保護管の最適と思われる各部の寸法を例示すると、リング１の厚み寸法Ｔが２．５ｍｍ、リング１の内径が２５ｍｍ、リング１の幅寸法Ｗが４ｍｍ、リング連結部２の厚み寸法ｔが０．８ｍｍ、リング連結部２の長さ寸法Ｌが３ｍｍ、リング連結部２の幅寸法Ｄが３．２ｍｍ、リング連結部２の相互間隔Ｇが１ｍｍ、リング連結部２を設ける箇所が２０箇所である。このような寸法のケーブル保護管は、良好な曲げ性と充分な実用強度と適度な剛性を備え、ケーブル保護管として極めて優れたものである。
【００２５】
このケーブル保護管の材料樹脂としては、種々の熱可塑性樹脂が使用可能であり、その中でもポリプロピレン、ポリエチレン等のオレフィン系樹脂や、エチレン−酢酸ビニル共重合体（ＥＶＡ）などが好ましく使用される。
【００２６】
上記のごときケーブル保護管は、例えば次の連続押出成形方法で効率良く量産することができる。即ち、押出装置の固定ダイスと可動ダイスの隙間から、合成樹脂を薄肉の筒膜状に押出すと共に、所定の周期で固定ダイスと可動ダイスの隙間を広げて合成樹脂を厚肉のリング状に間欠的に押出し、合成樹脂を薄肉の筒膜状に押出すときに固定ダイスと可動ダイスを部分的に当接して合成樹脂の筒膜に多数の開口部を周方向に配列して形成することにより、リング１の相互間にリング連結部２と網目３を形成する連続押出成形方法によって、量産することができる。
【００２７】
図５は本発明の他の実施形態に係るケーブル保護管の横断面図である。
【００２８】
このケーブル保護管は、軸線方向に平行して切開された切開端部１２，１２を保護管全長に亘って内外に重ね合わせたものであり、その他の構成は前述のケーブル保護管と同様であるので、同一部材に同一符号を付して説明を省略する。
【００２９】
このケーブル保護管のように切開端部１２，１２を内外に重ね合わせると、ケーブル保護管を曲げたときに切開端部１２，１２が開いて内部のケーブルが露出するを防止できるようになり、また、内外に重ね合わされた切開端部１２，１２によってケーブル保護管の剛性も適度に向上するといった利点がある。
【００３０】
【発明の効果】
以上の説明から明らかなように、本発明のケーブル保護管は、切開箇所から両側に弾性的に拡開してケーブルに外嵌するだけで簡単に装着することができ、強度の大きいリングによってケーブルを保護することができる。そして、良好な曲げ性を有するため、ケーブルの曲がった部分にも容易に装着することができ、また管内面が平滑であるため、内部のケーブルが管内面との摩擦により損傷する心配もない等、多くの優れた効果を奏する。更に、保護管切開端部を内外に重ね合わせたケーブル保護管は、これを曲げたときに切開端部が開いて内部のケーブルが露出するのを防止でき、剛性も適度に向上するといった効果を併せて奏する。
【図面の簡単な説明】
【図１】本発明の一実施形態に係るケーブル保護管の端部拡大側面図である。
【図２】図１のＡ−Ａ線に沿った拡大断面図である。
【図３】図２のＢ−Ｂ線に沿った断面図である。
【図４】端部を曲げた同ケーブル保護管の概略側面図である。
【図５】本発明の他の実施形態に係るケーブル保護管の横断面図である。
【符号の説明】
１  リング
２  リング連結部
３  網目
４  切開端部１２，１２
【図１】
2004159441.tif 000003
【図２】
2004159441.tif 000004
【図３】
2004159441.tif 000005
【図４】
2004159441.tif 000006
【図５】
2004159441.tif 000007